(57)【要約】      （修正有）【課題】バンド型ホースクランプの過剰な締付けを目視確認が困難な位置でも確実に防止できるホースクランプを提供する。【解決手段】リング状に形成されてホース類の接続部外周に装着される板状のバンド部１の両端を締付装置２を介して連結し、締付用のボルト３を締付方向に回転させることによりバンド部の両端をリング方向に直接引寄せてホース類の接続部を締付るホースクランプにおいて、ボルトのねじ部又はボルトと噛み合う他方の側のねじ部４を予め設定された締付限界位置Ｌ１を越えない範囲に形成し、ボルトによる締付が締付限界に達した以後はボルトの締付動作を空転させる機構とする。確実にそれ以上の締付が行われなくなるほか、空転が操作間隔としても伝わるために、目視確認が困難な締付位置であっても確認が容易である。【選択図】図２
0003190827.tif 000002
【実用新案登録請求の範囲】
【請求項１】
リング状に形成されてホース類の接続部外周に装着される板状のバンド部（１）の両端を締付装置（２）を介して連結し、該締付装置（２）の締付用のボルト（３）を締付方向に回転させることによりバンド部（１）の両端をリング方向に直接引寄せてホース類の接続部を締付るホースクランプにおいて、上記ボルト（３）のねじ部（４）又はボルトと噛み合う他方の側のねじ部（４）を予め設定された締付限界位置（Ｌ１）を越えない範囲に形成し、ボルトによる締付が締付限界に達した以後はボルトの締付動作を空転させる機構としたホースクランプ。
【請求項２】
バンド部（１）の両端を重ね合わせてリング状に形成し、リングの外側に接線方向にボルト（３）が配置されるように締付装置（２）をバンド部（１）の一端に固着し、バンド部（１）の他端の外周側に上記ボルト（３）のねじ部と噛み合う雌ねじ部（４）を形成し、ボルト（３）の締付動作によりバンド部（１）の一端が他端の内周面に沿ってリング径を縮小する方向にスライドして入り込む機構において、バンド部（１）の締付が予め設定された締付限界に達した以後はボルト（３）の締付方向の回転が空転するように、上記雌ねじ部（４）を締付限界位置を越えない範囲に形成してなる請求項１に記載のホースクランプ。
【請求項３】
ボルト（３）を回動操作可能に収容して保持するボルトホルダ（６）を、重ね合わされた内側のバンド部（１）の端部に固着し、上記ボルトホルダ（６）内に外側のバンド部（１）の端部に挿通し、雌ねじ部（４）を外側の端部の外周面に形成してなる請求項２に記載のホースクランプ。
【請求項４】
予め定形的な範囲に形成された雌ねじ部（４）の端部側を除去処理することにより締付限界位置（Ｌ１）を形成した請求項２又は３のいずれかに記載のホースクランプ。
【請求項５】
バンド部（１）の一端にリングの外側に向って突出しボルト（３）のヘッド側を挿通してボルト（３）を支えるボルト係止用のブラケット（７）を突設し、バンド部（１）の他端外周側には上記ボルト（３）の先端をねじ込むナット（８）を定位置に取付け、上記ブラケット（７）とナット（８）間にボルト（３）を挿通することにより締付装置（２）を構成し、上記ボルト（３）のねじ込みによってバンド部（１）の締付限界に達した以後ボルト（３）が空転するように、前記ボルト（３）側のねじ部をボルト（３）の締付限界位置（Ｌ１）の範囲内に形成した請求項１のホースクランプ。
【請求項６】
バンド部（１）の一方の端部の外周側に他方の端部側のボルト係止用のブラケット（７）と対向してナット取付用のブラケット（９）を突設し、該ナット取付用ブラケット（９）にナット（８）を回動規制状態で取付けてなる請求項５に記載のホースクランプ。
【請求項７】
ボルトヘッドとボルト係止用のブラケット（７）との間にボルト（３）の締付限界を調節するスペーサーリング（１１）をボルト（３）に対して挿脱可能に介挿してなる請求項５又は６に記載のホースクランプ。
【考案の詳細な説明】
【技術分野】
【０００１】
この考案は、ゴムやプラスチック製ホース等の接続端を外周より締付固定するホースクランプに関する。
【背景技術】
【０００２】
従来ホース類の端部を締付けるホースクランプとして特許文献１に示すものが知られているが、これらのホースクランプを締め過ぎることにより、ホースの接続部の損傷を生じたり、この部分の材質の劣化を招く等の問題がある。これに対して特許文献２の図３に示すように、上記過度な締付を防止するための締付限界を示す締付確認表示部を設けてこれを目視確認しながら、この範囲を越えないように締付操作を行わせようとするものが公知である。
【先行技術文献】
【特許文献】
【０００３】
【特許文献１】特開２００７−２４２３７号公報（図１，図２）
【特許文献２】実用新案登録第３１４２１１９号公報（図３）
【考案の概要】
【考案が解決しようとする課題】
【０００４】
しかし上記特許文献２に示すものでは、例えばホースクランプの取付位置が近接する他の部材の視界を妨げられ又はカバー類の内部等のように作業者による締付確認表示部の目視確認が困難な場所であったりする場合は、その機能を果すことができないほか、目視確認のみでは正確な締付限界の調節が難しい等の欠点がある。
またこれらの表示部はバンド製造工程中に表示部の着色や刻印等の加工工程を必要とするためにコストアップを招くという問題がある。
その他上記表示部は着色や印刷部分が熱変化や他の物との接触等により不明確になったり、油や塵等の汚れが付着して見づらくなる等の欠点がある。
【課題を解決するための手段】
【０００５】
上記課題を解決するため、第１に、リング状に形成されてホース類の接続部外周に装着される板状のバンド部１の両端を締付装置２を介して連結し、該締付装置２の締付用のボルト３を締付方向に回転させることによりバンド部１の両端をリング方向に直接引寄せてホース類の接続部を締付るホースクランプにおいて、上記ボルト３のねじ部４又はボルトと噛み合う他方の側のねじ部４を予め設定された締付限界位置Ｌ１を越えない範囲に形成し、ボルトによる締付が締付限界に達した以後はボルトの締付動作を空転させる機構としたことを特徴としている。
【０００６】
第２に、バンド部１の両端を重ね合わせてリング状に形成し、リングの外側に接線方向にボルト３が配置されるように締付装置２をバンド部１の一端に固着し、バンド部１の他端の外周側に上記ボルト３のねじ部と噛み合う雌ねじ部４を形成し、ボルト３の締付動作によりバンド部１の一端が他端の内周面に沿ってリング径を縮小する方向にスライドして入り込む機構において、バンド部１の締付が予め設定された締付限界に達した以後はボルト３の締付方向の回転が空転するように、上記雌ねじ部４を締付限界位置を越えない範囲に形成してなることを特徴としている。
【０００７】
第３に、ボルト３を回動操作可能に収容して保持するボルトホルダ６を、重ね合わされた内側のバンド部１の端部に固着し、上記ボルトホルダ６内に外側のバンド部１の端部に挿通し、雌ねじ部４を外側の端部の外周面に形成してなることを特徴としている。
【０００８】
第４に、予め定形的な範囲に形成された雌ねじ部４の端部側を除去処理することにより締付限界位置Ｌ１を形成したことを特徴としている。
【０００９】
第５に、バンド部１の一端にリングの外側に向って突出しボルト３のヘッド側を挿通してボルト３を支えるボルト係止用のブラケット７を突設し、バンド部１の他端外周側には上記ボルト３の先端をねじ込むナット８を定位置に取付け、上記ブラケット７とナット８間にボルト３を挿通することにより締付装置２を構成し、上記ボルト３のねじ込みによってバンド部１の締付限界に達した以後ボルト３が空転するように、前記ボルト３側のねじ部をボルト３の締付限界位置Ｌ１の範囲内に形成したことを特徴としている。
【００１０】
第６に、バンド部１の一方の端部の外周側に他方の端部側のボルト係止用のブラケット７と対向してナット取付用のブラケット９を突設し、該ナット取付用ブラケット９にナット８を回動規制状態で取付けてなることを特徴としている。
【００１１】
第７に、ボルトヘッドとボルト係止用のブラケット７との間にボルト３の締付限界を調節するスペーサーリング１１をボルト３に対して挿脱可能に介挿してなることを特徴としている。
【考案の効果】
【００１２】
以上のように構成される本考案のホースクランプによれば、ボルトによる締付限界を超えるとボルトのねじ部が締付限界位置で外れるのでボルトが空転し、確実にそれ以上の締付が行われなくなるほか、そのことは締付時の操作感覚としても伝わるために、仮に目視確認が困難な締付位置であっても確認が容易且つ確実である。
【００１３】
また目視確認が不要なので締付確認表示部を設ける場合のように、表示部の汚れ等による確認の妨げが生じることなく、表示部の印刷や着色又は刻印のための工程が増えることによるコストアップの問題もなくなる。
【図面の簡単な説明】
【００１４】
【図１】本考案のホースクランプの第１実施例の組立状態を示す全体正面図である。
【図２】同じくホースクランプの締付装置の部分拡大断面図である。
【図３】同じくホースクランプの締付装置の要部を示す分解斜視図である。
【図４】本考案のホースクランプの第２実施例の組立状態を示す全体正面図である。
【図５】同じくホースクランプの全体構造を示す分解斜視図である。
【考案を実施するための形態】
【００１５】
以下図示する本考案の実施の形態につき説明すると、図１〜図３は本考案の第１実施例を示し、図４〜図５は同じく第２実施例を示している。
【実施例１】
【００１６】
図１〜図３に示すホースクランプ自体の基本構造は特許文献１に示すものと共通であり、リング状に湾曲形成された板状のバンド部１は、ステンレス鋼板製でその断面両端は外周方向に僅かに折曲げられて突出し、全体が浅いチャンネル状断面を形成している。
【００１７】
バンド部１の両端は一部が内側と外側に重なり合ってリングを形成しており、内側の端部には後述する締付装置２のボルトホルダ６を収容して固着（スポット溶接）するための取付部１ｂが台形状に外向きに折曲げ形成されている。該取付部１ｂの外周面に接するようにバンド部１の他方の端部が重なり合っており、この外側の端部の外周面には締付装置２を構成するボルト３と噛み合ってねじ結合するねじ部４が所定範囲で形成されている。
【００１８】
締付装置２は、リングに対してボルト３を接線方向に回転操作可能に収容保持する板金成形した筒状のボルトホルダ６を備えており、このボルトホルダ６はそのボルト３の内側には、上記ねじ部４がボルト３のねじ部と押接し合って噛み合うようにバンド部１の外側の端部がリング方向にスライド可能に挿通されている。
【００１９】
またボルトホルダ６はバンド部１の内側の端部の取付部１ｂの内側に回り込んで抱着され、スポット溶接により固着されている。その結果ボルト３を締付方向に回動操作することにより、ボルト３とねじ部４との噛み合いにより、バンド部１の重なり合った両端が直接的にリング径の縮大（締付）方向に作動し、逆に緩め方向に回転操作することにより拡大（緩め）方向に互にスライド駆動される。
【００２０】
なお、ボルト３はボルトホルダ６の外側位置の逆Ｕ字形の湾曲部内に収容され、軸方向移動を規制された状態で保持されており、上記逆Ｕ字形湾曲部の基端部側は、図２に示すように異形に成形されたボルトヘッドのボス部３ａのボルト軸周りに形成されたストッパー穴３ｂ内に挿入され、ボルト３を定位置に保持している。
【００２１】
図２に示す例では、バンド部１の外側端部周面のねじ部４は、その始端部Ｌ０と終端位置Ｌ１間をＬとすると、ボルト３のねじ山との噛み合い始端部Ｌ２と終端部Ｌ１との間で噛み合っており、両者の噛み合いは通常Ｌ１〜Ｌ２間の長さを保って移動する。
そして、終端部Ｌ１が、締付けの結果図示するＬ２位置に移動した時点でボルト３は締付方向に回動操作してもねじ部同士の噛み合いが外れる結果空転し、それ以上のバンド部１の締付けは行わない。
【００２２】
このことは、バンド部１の長さとホース（図示しない）の径が決まれば、バンド部１の周面上ねじ部４の終端位置Ｌ１の位置をどこに設定するかを決めることにより、ホース端を締付ける限界位置を決定設定することができ、上記Ｌ１の位置をバンド部１によるホースの締付限界点（位置）にすることができる。
【００２３】
換言すれば、ホース径，ホース材料，ホースが接続される接続管（図示せず）の径等の諸条件に応じ、ホースの締付限度が決められ、上記ねじ部４の終端位置を締付限度を越えない限界位置（限界範囲内）に設定することによりホースクランプによりホースの締め過ぎを防止することが可能となる。
【００２４】
上記ねじ部４は、上記諸条件に応じて予め決められた位置に設定して加工できる他、汎用品としてねじ部４の範囲Ｌを長めに加工しておき、締付対象の変化に応じて締付限界位置を決め、余分なねじ部４を研削又はプレス加工等により除去することも可能である。
【実施例２】
【００２５】
図４，図５に示す実施例においては、バンド部１自体は上記第１実施例と共通するが、バンド部の端部構造と締付装置２の機構が異なる。この例では、バンド部１の内側（内周側に重なる側）の端部の外周面には、ボルト３を挿通保持し、外周側に突出する正面視Ｌ字形のボルト係止用のブラケット７がスポット溶接等によって固着して突設され、リング外周側に重なる外周側端部には、延長バンド部１ｃがスポット溶接等によって固着されて延設され、この延長バンド部１ｃの外周端には、上記ボルト６の先端側にねじ込まれる四角形のナット８が回転規制される状態で収容保持される逆向きのブラケット９が一体形成されている。
【００２６】
そして上記ブラケット７と同９は互に対向し且つ締付間隔を保って外向きに突設され、ボルト係止用のブラケット７に挿通されたボルト３の先端はナット保持用のブラケット９に挿通されてその背面のナット８にねじ込まれており、ボルト３を引寄せ方向に回転操作することにより、バンド部１の両端が直接締付方向（リング径縮小方向）に作動し、逆に緩め方向に回転させることによりリング径拡大方向に操作される。
【００２７】
また、ボルト３のボルトヘッドとブラケット７との間にはリング状又はワッシャー状のスペーサーリング１１がボルト３に挿通されて介挿され、このスペーサーリング１１はその厚みを選択することにより、バンド部１の締付度合を調節できる。
【００２８】
そしてこの機構においては、ボルト３のねじ切りされたねじ部４の範囲Ｌがバンド部１の締付範囲であり、その先端側の始端部Ｌ０に対し、終端部Ｌ１がナット８とねじ結合（噛み合う）締付限度（界）位置となる。
【００２９】
逆にねじ部４の範囲Ｌは、その終端位置Ｌ１の位置を決めることにより締付限界を越えない範囲となり、これを越えてボルト３の締付操作をしても空転し、それ以上の締付はできず、過剰な締付が防止される。
【符号の説明】
【００３０】
１  バンド部
２  締付装置
３  ボルト
４  ねじ部
６  ボルトホルダ
７  ブラケット
８  ナット
９  ブラケット
１１  スペーサーリング
Ｌ１  締付限界位置（めじ部終端位置）
【図１】
0003190827.tif 000003
【図２】
0003190827.tif 000004
【図３】
0003190827.tif 000005
【図４】
0003190827.tif 000006
【図５】
0003190827.tif 000007